(57)【要約】【課題】ＬＶＤＳ方式で信号を伝送するＬＶＤＳケーブルを接続するにあたり、ＬＶＤＳケーブル側に加工を施すことなく不要輻射を低減する。【解決手段】液晶テレビジョン１００では、中継基板３０により変換された駆動信号をＬＶＤＳケーブル８０で液晶パネル４０に伝送する。液晶テレビジョン１００では、金属製の背面フレーム４２で覆われた液晶パネル４０の背面に中継基板３０を配置する。また、液晶テレビジョン１００では、ＬＶＤＳケーブル８０の不要輻射を低減するため、中継基板のＬＶＤＳケーブルが接触する領域を半田メッキ処理するとともに、中継基板３０と液晶パネル４０の背面に取り付けられたフレーム４２とでＬＶＤＳケーブル８０を狭持する。【選択図】図３
2008275979.tif 000002
【特許請求の範囲】
【請求項１】
画像を表示するとともに、背面側を金属製のフレームで覆われた液晶パネルと、前記液晶パネルを駆動させるための駆動信号を生成しＬＶＤＳ方式で伝送する駆動ユニットと、前記駆動ユニットと前記液晶パネルとに接続されたＬＶＤＳケーブルとを有する液晶モジュールにおいて、
前記ＬＶＤＳケーブルは前記液晶パネルの背面に押し付けられて、前記液晶パネルと前記駆動ユニットとに接続されることを特徴とする液晶モジュール。
【請求項２】
本液晶モジュールは、前記液晶パネルの背面側に前記駆動ユニットを配置して筐体に収容する構成とされ、
前記駆動ユニットは、前記駆動信号を生成する駆動基板と、前記ＬＶＤＳケーブルと前記液晶パネルとに接続されて、前記駆動基板から出力された駆動信号をＬＶＤＳ方式で変換する中継基板とから成り、
前記ＬＶＤＳケーブルは、前記中継基板により前記液晶パネルの背面に押し付けられることを特徴とする請求項１に記載の液晶モジュール。
【請求項３】
前記駆動ユニットは、前記ＬＶＤＳケーブルと接触する領域に半田メッキ処理し、
前記ＬＶＤＳケーブルは、前記半田メッキ処理された領域と前記フレームとで狭持されることを特徴とする請求項１または請求項２のいずれかに記載の液晶モジュール。
【請求項４】
前記ＬＶＤＳケーブルは、捨て基板を用いて前記液晶パネルの背面に押し付けられることを特徴とする請求項２に記載の液晶モジュール。
【請求項５】
画像を表示するとともに、背面側を金属製のフレームで覆われた液晶パネルと、チューナ部が取得したテレビジョン放送信号を基に、前記液晶パネルを駆動する駆動信号を生成する駆動基板と、前記駆動信号をＬＶＤＳ方式によりパラレル信号に変換する中継基板と、前記中継基板と前記液晶パネルとに接続されたＬＶＤＳケーブルと、前記中継基板と前記駆動基板とを前記液晶パネルの背面側に配置するシャーシとを有する液晶テレビジョンにおいて、
前記中継基板のグランド層までのレジストを剥ぐとともに、上記レジストを剥がされた領域に半田メッキ処理を施すことでシールド領域を形成し、
前記シールド領域で前記ＬＶＤＳケーブルを前記液晶パネルの背面に押し付けることで、前記中継基板と前記フレームとで該ＬＶＤＳケーブルを狭持するよう、前記中継基板を前記シャーシにねじ止めしたことを特徴とする液晶テレビジョン。
【発明の詳細な説明】
【技術分野】
【０００１】
本発明は、ＬＶＤＳケーブルを用いて液晶パネルを駆動させる液晶モジュール、および液晶テレビジョンに関する。
【背景技術】
【０００２】
従来、液晶パネルに駆動信号を出力する方法として、ＬＶＤＳ（Low Voltage Differential Signaling）方式が知られている。ＬＶＤＳ方式では、パラレル信号を低電圧作動のシリアル信号に変換して液晶パネルに伝送する。ＬＶＤＳ方式では、ケーブル（以後ＬＶＤＳケーブル）を用いて信号を液晶パネルに伝送する。ＬＶＤＳ方式では有る程度不要輻射を低減するが、完全には不要輻射を低減させることはできない。不要輻射の強弱は、ＬＶＤＳケーブル自体のねじれやコネクタへの接続方法のバラつき、およびシールドの弱さにより左右される。つまり、製品によってＬＶＤＳケーブルの向きがばらつき、製品ごとの不要輻射の強さにバラつきが生じる。
【０００３】
図６は一例としてのＬＶＤＳケーブルの垂直断面図である。不要輻射を低減するため図に示すＬＶＤＳケーブル１では、導線Ｗとシールド線Ｇとが平行に配置され、導線Ｗから輻射される不要輻射を低減させている。さらに、ＬＶＤＳケーブル１では、複数の導線をシールドワイヤーＳＷで包みこむことで不要輻射をさらに低減させている。しかしながら、ＬＶＤＳケーブル自体に加工を施した場合、コストが高くなるという問題があった。
【０００４】
ケーブル自体に加工を施すことなく不要輻射を低減させる技術として以下の技術が開示されている。つまり、本技術では、コネクタ近傍にグランドに接続された複数の金属シールド部が設けられている。これにより、ケーブルをコネクタに接続させた際、ケーブルの導線と金属シールドとが接触して、ケーブルのグランドが強化される（例えば、特許文献１参照。）。
【０００５】
また、同様な手法を用いた以下の技術が開示されている。つまり、本技術では、回路基板に形成された入出力電極と筐体に形成された弾性体とで同軸ケーブルの外部導体を両側から挟みこむ。これにより、外部導体は回路基板上のグランドに当接されるのでグランドが強化される（例えば、特許文献２参照。）。
【特許文献１】特開２００２−７６５３６
【特許文献２】特開平１０−６５３６１
【発明の開示】
【発明が解決しようとする課題】
【０００６】
上述した特許文献１の発明では、ケーブルは基板側のコネクタで固定されるだけなので、組み付けの際、ケーブルの向きがバラつく場合があった。そのため、ケーブルのバラつきが原因で発生する不要輻射を低減することができない。
【０００７】
また、特許文献２の発明では、ケーブルは入出力電極と弾性体とで両側から挟みこまれているだけなので、ケーブルのバラつきが原因で発生する不要輻射を解消することができない。
【０００８】
本発明は、上記課題に鑑みてなされたもので、ＬＶＤＳ方式で信号を伝送するＬＶＤＳケーブルを接続するにあたり、ＬＶＤＳケーブル側に加工を施すことなく不要輻射を低減することが可能な液晶モジュールおよび液晶テレビジョンの提供を目的とする。
【課題を解決するための手段】
【０００９】
上記課題を解決するために、本発明の請求項１にかかる発明では、画像を表示するとともに、背面側を金属製のフレームで覆われた液晶パネルと、前記液晶パネルを駆動させるための駆動信号を生成するとともに生成した前記駆動信号をＬＶＤＳ方式で伝送する駆動ユニットと、前記駆動ユニットと前記液晶パネルとに接続されたＬＶＤＳケーブルとを有する液晶モジュールにおいて、前記ＬＶＤＳケーブルは、前記液晶パネルの背面側に押し付けられて、前記液晶パネルと前記駆動ユニットとに接続される構成としてある。
【００１０】
つまり、本発明に係るＬＶＤＳケーブルは液晶パネルの背面を覆う金属製のフレームに押し付けられるため、ＬＶＤＳケーブルの向きがバラつかない。そのため、ＬＶＤＳケーブルのバラつきが原因で生じる不要輻射を低減することができる。
【００１１】
そして、本発明では、本液晶モジュールは、前記液晶パネルの背面側に前記駆動ユニットを配置して筐体に収容する構成とされ、前記駆動ユニットは、前記駆動信号を生成する駆動基板と、前記ＬＶＤＳケーブルと前記液晶パネルとに接続されて、前記駆動基板から出力された駆動信号をＬＶＤＳ方式で変換する中継基板とから成り、前記ＬＶＤＳケーブルは、前記中継基板により前記液晶パネルの背面に押し付けられる構成としてもよい。
つまり、ＬＶＤＳケーブルは中継基板により液晶パネルの背面に押し付けられるため、液晶モジュールの構成を簡易にすることができる。
【００１２】
さらに、前記駆動ユニットは、前記ＬＶＤＳケーブルと接触する領域に半田メッキ処理し、前記ＬＶＤＳケーブルは、前記半田メッキ処理された領域と前記フレームとで狭持される構成としてもよい。
つまり、本発明に係る技術では、半田メッキ処理された領域とフレームとでＬＶＤＳケーブルを挟みこむため、半田メッキ処理された領域とフレームとがシールドとして作用する。つまり、ＬＶＤＳケーブルからの不要輻射はシールドされるため低減される。
【００１３】
また、前記ＬＶＤＳケーブルは、捨て基板を用いて前記液晶パネルの背面に押し付けられる構成としてもよい。
つまり、捨て基板を使用するため、液晶モジュールが中継基板を用いない場合であっても本発明を適応することができる。
【００１４】
さらに、本発明に係る技術は液晶モジュールだけでなく液晶テレビジョンにも応用することができる。そのため、本発明では、画像を表示するとともに、背面側を金属製のフレームで覆われた液晶パネルと、チューナ部が取得したテレビジョン放送信号を基に、前記液晶パネルを駆動する駆動信号を生成する駆動基板と、前記駆動信号をＬＶＤＳ方式によりパラレル信号に変換する中継基板と、前記中継基板と前記液晶パネルとに接続されたＬＶＤＳケーブルと、前記中継基板と前記駆動基板とを前記液晶パネルの背面側に配置するシャーシとを有する液晶テレビジョンにおいて、前記中継基板のグランド層までのレジストを剥ぐとともに、上記レジストを剥がされた領域に半田メッキ処理を施すことでシールド領域を形成し、前記シールド領域で前記ＬＶＤＳケーブルを前記液晶パネルの背面に押し付けることで、前記中継基板と前記フレームとで該ＬＶＤＳケーブルを狭持するよう、前記中継基板を前記シャーシにねじ止めした構成としてある。
【発明の効果】
【００１５】
以上説明したように本発明によれば、ＬＶＤＳ方式で信号を伝送するＬＶＤＳケーブルを接続するにあたり、ＬＶＤＳケーブル側に加工を施すことなく不要輻射を低減することができる。
また請求項２にかかる発明によれば、ＬＶＤＳケーブルを取り付けるための構成を簡素化することができる。
そして請求項３にかかる発明によれば、不要輻射をより低減することができる。
さらに請求項４にかかる発明によれば、中継基板を用いない場合でも本発明を適応することができる。
さらに請求項１のような、より具体的な構成において、上述した請求項２〜請求項３の各発明と同様の作用を奏することはいうまでもない。
【発明を実施するための最良の形態】
【００１６】
以下、下記の順序に従って本発明の実施形態を説明する。
（１）液晶テレビジョンの構成
（２）液晶テレビジョンの作用・効果
（３）各種変形例
（４）まとめ
【００１７】
（１）液晶テレビジョンの構成 
本発明に係る液晶テレビジョンでは、チューナ部が受信した所要のテレビジョン放送信号に基づいて映像を表示する。また、液晶テレビジョンでは、ＬＶＤＳ方式で変換された駆動信号をＬＶＤＳケーブルを用いて液晶パネルに伝送する。そして、液晶テレビジョンでは、金属製のフレームで覆われた液晶パネルの背面に中継基板を配置する。さらに、液晶テレビジョンでは、ＬＶＤＳケーブルの不要輻射を低減するため、中継基板のＬＶＤＳケーブルが接触する領域を半田メッキ処理するとともに、中継基板と液晶パネルの背面に取り付けられたフレームとでＬＶＤＳケーブルを狭持する。
【００１８】
図１は、本発明に係る液晶テレビジョンのブロック構成図である。液晶テレビジョン１００は、アンテナ２００が受信したテレビジョン放送信号から所要の周波数帯を検波するチューナ部５０と、チューナ部５０が検波したテレビジョン放送信号から画像信号と音声信号とを復調するデコーダ部６０と、復調された画像信号と音声信号とに信号処理を施すとともに、駆動信号を生成する駆動基板（駆動ユニット）２０と、駆動基板２０が生成した駆動信号を変換する中継基板３０と、中継基板３０が変換した駆動信号に基づいて画像を表示する液晶パネル４０と、更に音声を出力する音声出力部７０とを備えている。上記した構成により液晶テレビジョン１００は、受信した所要のテレビジョン放送信号に基づいて、液晶パネル４０を用いて画像を表示し、音声出力部７０を用いて音声を出力する。なお、駆動基板２０は、画像信号を信号処理する画像信号処理部２１と、音声信号を信号処理する音声信号処理部２２とを備えている。
【００１９】
本発明に係る液晶テレビジョン１００では、中継基板３０により変換された駆動信号をＬＶＤＳケーブル８０で液晶パネル４０に伝送する。中継基板３０は略矩形の基板である。中継基板３０は駆動基板２０が生成した駆動信号をＬＶＤＳ方式で変換する。ＬＶＤＳ方式では、パラレル信号である駆動信号を低電圧作動のシリアル信号に変換する。変換された駆動信号は、ＬＶＤＳケーブル８０を用いて中継基板３０から液晶パネル４０へ伝送される。液晶パネル４０は背面に配置されたドライバ４１でＬＶＤＳケーブル８０と接続する。ドライバ４１はＬＶＤＳケーブル８０から伝送された駆動信号をディジタル／アナログ変換して、液晶パネル４０に出力する。
【００２０】
本発明に係る液晶テレビジョン１００では、金属製のフレームで覆われた液晶パネル４０の背面側に中継基板３０を配置する。図２に示すように、液晶テレビジョン１００では、図１で示した各要素を筐体９０に収容している。筐体９０は、各要素を収容可能な凹部を備えたフロントキャビネット９１とリアキャビネット９２とで構成される。液晶パネル４０は背面を金属製の背面フレーム４２で覆われるとともに、背面側にドライバ４１，４１がねじ止めされる。さらに、液晶パネル４０は背面側に金属製のシャーシ９３がねじ止めされる。シャーシ９３は一方の面が開口することで凹部を形成した箱状である。シャーシ９３は、中継基板３０をねじ止めするために、切り起こして形成された固定部を凹部内側に備えている。シャーシ９３を液晶パネル４０の背面側にねじ止めすることで、中継基板３０は液晶パネル４０の背面側に配置される。なお、中継基板３０と駆動基板２０とはフラットケーブル３１を用いて接続されている。
【００２１】
本発明に係る液晶テレビジョン１００では、中継基板３０を用いてＬＶＤＳケーブル８０を液晶パネル４０背面に押し付ける。図３（ａ）は、筐体９０に収容された液晶パネル４０背面側であって、ドライバ４１周辺を示す正面図である。図３（ｂ）は、図３（ａ）の二点鎖線Ｂ−Ｂでの液晶テレビジョン１００の垂直断面図である。図３（ａ）に示すように、ＬＶＤＳケーブル８０はドライバ４１のコネクタ４１ａと中継基板３０のコネクタ３０ａとに接続される。また、図３（ｂ）に示すように、シャーシ９３は、切り起こして形成された固定部９３ａ，９３ａを備えている。中継基板３０は固定部９３ａ，９３ａにねじ止めされて、シャーシ９３の凹部内側に固定される。この状態で、液晶パネル４０の背面側にシャーシ９３をねじ止めすることで、中継基板３０はＬＶＤＳケーブル８０を液晶パネル４０背面側に押し付ける。これにより、中継基板３０はＬＶＤＳケーブル８０を背面フレーム４２に当接させる。
【００２２】
本発明に係る液晶テレビジョン１００では、中継基板３０のＬＶＤＳケーブル８０が接触する領域を半田メッキ処理している。図３（ｂ）に示すように、中継基板３０は、ＬＶＤＳケーブル８０が接触するシールド領域３０ｂに半田メッキが施されている。具体的には、中継基板３０はシールド領域３０ｂのレジストを剥ぎ半田メッキされている。これにより、シールド領域３０ｂはシールドとして作用し、ＬＶＤＳケーブル８０からの不要輻射を背面フレーム４２と共に抑制する。
【００２３】
（２）液晶テレビジョンの作用・効果
本発明に係る液晶テレビジョンでは、シャーシ９３にねじ止めされた中継基板３０と背面フレーム４２とでＬＶＤＳケーブル８０を狭持する。このため、まず、ＬＶＤＳケーブル８０は中継基板３０に押し付けられて中継基板３０とドライバ４１とに接続されるため、ＬＶＤＳケーブル８０の向きが変化せずバラつきが発生しない。また、中継基板３０はＬＶＤＳケーブル８０と接触する領域に半田メッキ処理が施されるため、中継基板３０と背面フレーム４２とがシールドとして作用する。これにより、駆動基板２０から液晶パネル４０へ信号が伝達される際、ＬＶＤＳケーブル８０からの不要輻射は低減されると共に、輻射した不要輻射は中継基板３０と背面フレーム４２とでシールドされる。
【００２４】
（３）各種変形例
本発明に係る液晶テレビジョン１００では、様々な変形例が存在する。
図４に示すように、ＬＶＤＳケーブル８０を中継基板３０とシャーシ９３との間に挟み込んでもよい。なお、中継基板３０はシャーシ９３と対向する面にコネクタ３０ａを備えている。ＬＶＤＳケーブル８０は、中継基板３０を下側から跨ぐことでコネクタ３０ａと接続されている。さらに、ＬＶＤＳケーブル８０は、シャーシ９３にねじ止めされた中継基板３０によりシャーシ９３側に押し付けられる。これにより、金属製のシャーシ９３をシールドとして作用させることができる。
【００２５】
また、図５に示すように、捨て基板３００でＬＶＤＳケーブル８０を液晶パネル４０の背面フレーム４２と当接させてもよい。駆動基板２０の仕様によっては、トランスミッタを駆動基板側に実装させて中継基板３０を省略したものも存在する。そのため、固定部９３ａ，９３ａに捨て基板３００をねじ止めしてＬＶＤＳケーブル８０を背面フレーム４２に押し付けてもよい。これにより、中継基板３０存在しない液晶テレビジョン１００に本発明を適応することができる。
【００２６】
（４）まとめ
本発明に係る液晶テレビジョン１００では、チューナ部が受信した所要のテレビジョン放送信号を基に映像を表示する。液晶テレビジョン１００では、中継基板３０により変換された駆動信号をＬＶＤＳケーブル８０で液晶パネル４０に伝送する。液晶テレビジョン１００では、金属製の背面フレーム４２で覆われた液晶パネル４０の背面に中継基板３０を配置する。また、液晶テレビジョン１００では、ＬＶＤＳケーブル８０の不要輻射を低減するため、中継基板のＬＶＤＳケーブルが接触する領域を半田メッキ処理するとともに、中継基板３０と液晶パネル４０の背面に取り付けられた背面フレーム４２とでＬＶＤＳケーブル８０を狭持する。
【００２７】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００２８】
【図１】一例としての本発明に係る液晶テレビジョンのブロック構成図である。
【図２】一例としての液晶テレビジョンの構成を示す斜視図である。
【図３】一例としての液晶テレビジョンの内部を示す正面図と垂直断面図である。
【図４】一例としての液晶テレビジョンの内部を示す垂直断面図である。
【図５】一例としての液晶テレビジョンの内部を示す垂直断面図である。
【図６】一例としてのＬＶＤＳケーブルの垂直断面図である。
【符号の説明】
【００２９】
２０…駆動基板、２１…画像信号処理部、２２…音声信号処理部、３０…中継基板、３０ａ…コネクタ、３０ｂ…シールド領域、３１…フラットケーブル、４０…液晶パネル、４１…ドライバ、４１ａ…コネクタ、４２…背面フレーム、５０…チューナ部、６０…デコーダ部、７０…音声出力部、８０…ＬＶＤＳケーブル、９０…筐体、９１…フロントキャビネット、９２…リアキャビネット、９３…シャーシ、９３ａ…固定部、１００…液晶テレビジョン、２００…アンテナ、３００…捨て基板
【図１】
2008275979.tif 000003
【図２】
2008275979.tif 000004
【図３】
2008275979.tif 000005
【図４】
2008275979.tif 000006
【図５】
2008275979.tif 000007
【図６】
2008275979.tif 000008